(57)【要約】      （修正有）【課題】長期間に亘って抗菌防臭効果を発揮し、食品業界や医療品業界において、安心して使用可能であり、かつ、帯電防止効果を発揮するプラスチック段ボール製の容器を提供する。【解決手段】プラスチック製のライナー１２´、１３´間に芯材１４´を配置して形成されたプラスチック段ボール製の容器について、プラスチック段ボール１１´として、プラスチックより成るライナーと芯材を接合した状態として形成したものを使用し、上記ライナーの少なくとも最外部の１面は、約１０ナノメートル未満の大きさの銀の微粉末を、プラスチック１Ｋｇ当たり３０００ｐｐｍ以上含有した圧縮ナノシルバー材１５を、プラスチック成形材料に、重量比で６〜１５パーセント混合したものより成り、上記プラスチック段ボールは、圧縮ナノシルバー材を混合したプラスチック成形材料より成る面が、容器の内面に位置する配置にして成形されている。【選択図】図２
2008155952.tif 000002
【特許請求の範囲】
【請求項１】
プラスチック製のライナー間に芯材を配置して形成されたプラスチック段ボール製の容器であって、プラスチック段ボールは、プラスチックより成るライナーと芯材を接合した状態として形成されており、上記ライナーの少なくとも最外部の１面は、約１０ナノメートル未満の大きさの銀の微粉末を、プラスチック１ｋｇ当たり３０００ｐｐｍ以上含有した圧縮ナノシルバー材を抗菌防臭剤として、プラスチック成形材料に、重量比で６〜１５パーセント混合したものより成り、上記プラスチック段ボールは、圧縮ナノシルバー材を混合したプラスチック成形材料より成る面が、容器の内面に位置する配置にして成形されていることを特徴とする抗菌防臭効果を有するプラスチック段ボール製の容器。
【請求項２】
ライナーと芯材の全部に、所定濃度の圧縮ナノシルバー材を、所定の割合で混合したプラスチック成形材料を用いて形成された請求項１記載の抗菌防臭効果を有するプラスチック段ボール製の容器。
【発明の詳細な説明】
【技術分野】
【０００１】
本発明は、プラスチック製のライナー間に波状の芯材を配置して形成されたプラスチック段ボール製の容器であって、抗菌防臭効果を具備したプラスチック段ボール製の容器に関するものである。
【０００２】
プラスチック製段ボールは、周知のように、段プラ或いはプラ段などと通称され、様々の用途に使用されており、それを使用した容器も、上面を開閉するミカン箱型や、容器と蓋から成る被せ箱型、上面を開放しかつ積み重ね構造を有するコンテナ型など、各種のものが提供されている。こうしたプラスチック段ボール製の容器は、紙製の容器に比較して著しく丈夫であり、かつ、重量の点では紙製の容器と同等以下と軽量である。このため、成形されたプラスチック容器の丈夫さと、紙製容器の軽量さを兼ね備えるものとして、広く受け入れられている。
【０００３】
この種のプラスチック段ボール製の容器を使用する場合、分野によっては、相応の注意が必要である。例えば、特に魚介類のように濡れた状態で扱う生鮮食料品では、汚れが早く、細菌が付着した場合に繁殖の条件が揃っており、しかも、それらを除去するのが困難であり、始末が悪い。このようなことを想定して、抗菌加工を施すことが広く行なわれている。
【０００４】
特開２００１−１３０６４９号は、抗菌加工した段ボールシートに関する発明であり、
箱詰め時の落下細菌の付着によっても、その細菌が分散されないようにし、収納青果物の鮮度が落ちたり、腐敗したりしないように、青果物と直接接触する段ボール箱内面に、抗菌、抗カビ剤をラミネートまたは塗布加工したライナーを使用する構成を開示している。しかしこれでは、裏ライナーの原紙に抗菌性樹脂層をラミネートまたは塗布する必要があり、工程が増すとともに、抗菌性樹脂層がはがれたり、裏表を間違えたりした場合には、効果を期待できない。また、特開平８−１５１０３７号は、抗菌加工段ボール箱とその製造方法に関するもので、抗菌性金属を含有する抗菌剤を段ボール箱の表面に塗布加工する構成を開示している。しかしながら、塗布した抗菌剤の効果が維持される期間は限られており、使い捨てる場合はともかく、プラスチック段ボール製の容器に適用するには適当とはいえない。
【０００５】
【特許文献１】特開２００１−１３０６４９号
【特許文献２】特開平８−１５１０３７号
【発明の開示】
【発明が解決しようとする課題】
【０００６】
本発明は前記の点に着目してなされたものであり、その課題は、長期間に亘って抗菌防臭効果を発揮し得るプラスチック段ボール製の容器を提供することである。また本発明の他の課題は、食品業界や医療品業界において、安心して使用可能なプラスチック段ボール製の容器を提供することである。また本発明の他の課題は、抗菌防臭効果とともに、帯電防止効果を発揮するプラスチック段ボール製の容器を提供することである。
【課題を解決するための手段】
【０００７】
前記の課題を解決するため、本発明は、プラスチック製のライナー間に芯材を配置して形成されたプラスチック段ボール製の容器について、プラスチック段ボールは、プラスチックより成るライナーと芯材を接合した状態として形成されているものを用い、上記ライナーの少なくとも最外部の１面は、約１０ナノメートル未満の大きさの銀の微粉末を、プラスチック１ｋｇ当り３０００ｐｐｍ以上含有した圧縮ナノシルバー材を抗菌防臭剤として、プラスチック成形材料に、重量比で６〜１５パーセント混合したものより成るものとし、上記プラスチック段ボールは、圧縮ナノシルバー材を混合したプラスチック成形材料より成る面が、容器の内面に位置する配置にして成形されているものとするという手段を講じている。
【０００８】
本発明の対象であるプラスチック段ボール製の容器は、ライナー間に芯材を配置した構造を有するプラスチック段ボールを使用して形成されているものである。本発明に用いるプラスチック段ボールは、少なくとも２枚のライナー間に１枚の波状の芯材を配置し、かつ、それらを接合した状態として形成された構造を有している。その他にも、３枚のライナー間に２枚の芯材を配置したダブルウオールや、４枚のライナー間に３枚の芯材を配置したトリプルウオールなども形成し得るが、本発明は全てのタイプのプラスチック段ボールに適用することができる。
【０００９】
プラスチック段ボールを構成するプラスチックには、この種の容器に使用される種類のプラスチックを使用する。その材料としては、ポリプロピレン、ポリエチレンなどを使用することができる。いわゆるプラスチック段ボールは、ライナーも芯材も一体構造のものが普通であるけれども、ライナーと芯材が別部材からなる構造である場合にも、その全部がプラスチックより成るものであることが望ましい。一般用途には見当たらないが、その全てが同一の材料から成っていなくても良く、ライナー及び芯材として相互に接合した状態とし段ボールを構成し得うるものであれば、使用することができる。本発明は、段ボールを構成しているライナーないしは芯材自体に、抗菌防臭効果を奏する抗菌防臭剤を混合分散させる点に新規性がある。
【００１０】
上記の抗菌防臭剤には、約１０ナノメートル未満の大きさの銀の微粉末を、プラスチック１ｋｇ当り３０００ｐｐｍ以上含有した圧縮ナノシルバー材を使用する。約１０ナノメートル未満の大きさの銀の微粉末を必要とする理由には、この大きさの銀の微粉末が最良の抗菌効果を発揮するということを挙げることができる。圧縮ナノシルバーとは、約１０ナノメートル又はそれよりも小さい粒径を有する大きさの銀の微粉末であり、これをプラスチック１Ｋｇに分散混合し、圧縮してマスターバッチを作成したもので、その中の銀の含有割合が３０００ｐｐｍの範囲にあるものである。
【００１１】
圧縮ナノシルバー材は、これを、プラスチック材料に、重量比で６〜１５パーセント混合する。圧縮ナノシルバー材を、プラスチック材料に混合する方法としては、上記の圧縮ナノシルバー材を直接、プラスチック材料中に投入する方法、圧縮ナノシルバー材を高濃度にプラスチック中に分散混和したマスターバッチを使用する上記の方法などの手段を取ることができる。抗菌防臭剤としての圧縮ナノシルバー材（マスターバッチ）の混合割合は、その下限が６パーセント以下では十分な抗菌力が得られず、１５パーセント以上では抗菌力が頭打ちとなり価格も高くなり、ともに好ましくない。
【００１２】
上記プラスチック段ボールは、圧縮ナノシルバー材を抗菌防臭剤として混合したプラスチック材料より成る面が、容器の内面に位置する配置にして形成する。本発明において、プラスチック段ボールを構成するライナーと芯材は、その全部がプラスチックより成るものであることは望ましいことである。もし、ライナーと芯材が別部材から成る場合には、そのどの部分に圧縮ナノシルバー材を抗菌防臭剤として混合するかについて選択することができる。プラスチック段ボール製の容器の一部のみに、抗菌防臭剤を混合することができる場合には、圧縮ナノシルバー材を混合したプラスチック材料より成るライナー面が、容器の内面に位置する配置を取れば良い。
【発明の効果】
【００１３】
本発明は以上のように構成されかつ作用するもので、圧縮ナノシルバー材を混合したプラスチック材料より成る面が、容器の内面に位置することにより、長期間に亘って抗菌防臭効果を発揮し得るプラスチック段ボール製の容器を提供することができ、また、本発明によれば、食品や医薬品などの商品を取り扱う業界において、それらの商品の接する容器が抗菌性を有していることによって安心して使用可能なものとなり、商品の臭いが他の商品にうつることもなく、また、本発明により、抗菌防臭効果とともに、帯電防止効果を発揮するという効果を奏する。
【発明を実施するための最良の形態】
【００１４】
プラスチック段ボール製容器の説明
以下図示の実施形態を参照しながら、本発明に係るプラスチック段ボール製の容器について、より詳細に説明する。図１は、上記のプラスチック段ボール製の容器に使用するプラスチック段ボール１１の例１を示すもので、プラスチックにより形成されているライナー１２、１３と芯材１４を接合した状態として全体が形成されていると言える構造を有している。即ちこの例１のプラスチック段ボール１１は、成形樹脂を、金型を用いて成形することによって、全体が一体構造のライナー１２、１３と芯材１４から成る切断面を有する中空構造を形成したものである。
【００１５】
図２は、プラスチック段ボール製の容器に使用するプラスチック段ボール１１′の例２を示すもので、プラスチックにより別々に形成されているライナー１２′、１３′と芯材１４′を接合して全体が形成されている構造を有する。つまり例２のプラスチック段ボール１１′は、成形樹脂を、金型を用いて別々のライナー１２′、１３′と芯材１４′を成形し、それらを接合することによって、全体が一体のいわゆる段ボールの構造に形成した例であり、各材料は、加熱による接合、接着等により接合される。
【００１６】
このようなプラスチック段ボール１１、１１′には、抗菌防臭剤として、プラスチック材料に、圧縮ナノシルバー材１５（マスターバッチ）を重量比で６〜１５パーセント混合した成形材料より成るものを使用している。図１に示す例１では、ライナー１２、１３と芯材１４を接合したプラスチック段ボール１１の全体が、圧縮ナノシルバー材１５を上記の比率で含有しており、また、図２に示す例２では、ライナー１２′のみ、圧縮ナノシルバー材１５を上記の比率で含有している。従って、例２ではライナー１２′の面が容器の内面に配置されるようにして容器を組み立てることになる。
【００１７】
上記のようなプラスチック段ボール１１、１１′を用いて形成した、本発明に係る容器の例は、図３以下に例示されている。図３は、上面を開閉するミカン箱型の容器１６を示す例１であり、組み立て中の形態を図３Ａに、組み立て前の展開形態を図３Ｂに示している（なお、図３Ａ、Ｂの縮尺は異なる）。この容器１６の場合、１枚のプラスチック段ボール１１、１１′を用いて、必要箇所を折り曲げ、かつ接合することによって組み立てることができる。但し、例２のプラスチック段ボール１１′を用いた場合、ライナー１２′の面が容器１６の内面１７に配置されるようにする。
【００１８】
図４は、容器部１８と蓋部１９とから成る被せ箱型の容器２０を示す例２であり、組み立て後の形態を図４Ａに、組み立て前の展開形態を図４Ｂ、Ｃに示している（なお、図４ＡとＢ、Ｃの縮尺は異なる）。この容器２０の場合においても、夫々１枚のプラスチック段ボール１１、１１′を用いて、必要箇所を折り曲げ、かつ接合することによって組み立てることができる。また、ライナー１２′のみ、圧縮ナノシルバー材１５を上記の比率で含有している例２のプラスチック段ボール１１′を用いた場合には、ライナー１２′の面が容器２０の内面２１に配置されるようにする。
【００１９】
図５は、上面を開放し、かつ積み重ね構造を有するコンテナ型容器２２を示す例２であり、組み立て後の形態を図５Ａに、組み立て前の展開形態を図５Ｂに示している（なお、図４ＡとＢの縮尺はほぼ一致する）。この容器２２の場合、１枚のプラスチック段ボール１１、１１′を用いて、必要箇所を折り曲げ、かつ接合することによって組み立てるとともに、開口縁に金属製又はプラスチック製の口枠２３を設けて形成されている。口枠２３は容器２２の４隅に受け段部２４を有していて、上下に積み重ねることができる。また、ライナー１２′のみ、圧縮ナノシルバー材１５を上記の比率で含有している例２のプラスチック段ボール１１′を用いた場合には、ライナー１２′の面が容器２２の内面２５に配置されるようにする。
【００２０】
本発明におけるプラスチック段ボールの製造例の説明
例１．約１０ナノメートル未満の大きさの銀の微粉末を、３０００ｐｐｍ含有した圧縮ナノシルバー材を、ポリプロピレン１Ｋｇに混合してマスターバッチを作成し、このマスターバッチを、重量比で１５パーセント、ポリプロピレンの成形材料とともにプラスチック段ボール成形装置に投入し、本発明に係るプラスチック段ボールを成形した。
【００２１】
例２．約１０ナノメートル未満の大きさの銀の微粉末を、４０００ｐｐｍ含有した圧縮ナノシルバー材を、ポリエチレン１Ｋｇに混合してマスターバッチを作成し、このマスターバッチを、重量比で６パーセント、ポリエチレンの成形材料とともにプラスチック段ボール成形装置に投入し、本発明に係るプラスチック段ボールを成形した。
【００２２】
本発明に係るプラスチック段ボール製容器の抗菌試験
本発明に係るプラスチック段ボール製容器における抗菌効果を確認するために、ＪＩＳＺ２８０１に規定された方法による試験を実施した。
菌種１として、別表１記載の試験方法における黄色葡萄状球菌を使用し、上記したプラスチック段ボール１の上に、接種菌濃度２．１×（１０）５乗、他の条件で配置し、２４時間経過後の菌数を測定し、別表２の試験結果を得た。
【００２３】
【表１】
2008155952.tif 000003
【００２４】
菌種２として、別表１記載の大腸菌を使用し、上記したプラスチック段ボール１の上に、接種菌濃度２．６×（１０）５乗、他の条件で配置し、２４時間経過後の菌数を測定し、別表３の結果を得た。
【００２５】
【表２】
2008155952.tif 000004
【００２６】
【表３】
2008155952.tif 000005
【００２７】
注）※    ＜＝未満            ※  CFU＝Colony Forming Unit
別表２及び３に示されるように、本発明に係るプラスチック段ボール製容器１１…にて保管した結果、菌種１（黄色葡萄状球菌）の２４時間培養後の生菌数の平均は１０未満、抗菌活性値：６．０、また、菌種２（大腸菌）の２４時間培養後の生菌数の平均も１０未満、抗菌活性値：６．２と、共に９９．９パーセントの減少率を示している。これらの数値により、本発明による顕著な効果を客観的に把握することができる。
【産業上の利用可能性】
【００２８】
本発明に係る抗菌防臭効果を有するプラスチック段ボール製の容器に用いるプラスチック段ボールは、容器の他に、押入れの壁材などの建材として使用でき、防臭、防カビ、シックハウス症候群対策に利用可能である。
【図面の簡単な説明】
【００２９】
【図１】本発明に係る抗菌防臭効果を有するプラスチック段ボール製の容器に用いるプラスチック段ボールの例１を示す一部拡大断面図である。
【図２】同様にプラスチック段ボールの例２を分解して示す一部拡大断面図である。
【図３】本発明に係る抗菌防臭効果を有するプラスチック段ボール製の容器の例１を示すもので、Ａは組み立て中の容器の斜視図、ＢはＡの容器の展開図である。
【図４】同様にプラスチック段ボール製の容器の例２を示すもので、Ａは蓋と容器の斜視図、ＢはＡの蓋と容器の展開図である。
【図５】同様にプラスチック段ボール製の容器の例３を示すもので、Ａは完成した容器の斜視図、ＢはＡの容器部分の展開図である
【符号の説明】
【００３０】
１１、１１′  プラスチック段ボール
１２、１３  ライナー
１２′、１３′  ライナー
１４′、１４′  芯材
１５  圧縮ナノシルバー材
１６、２０、２２  容器
１７、２１、２５  内面
１８  容器部
１９  蓋部
２３  口枠
２４  受け段部
【図１】
2008155952.tif 000006
【図２】
2008155952.tif 000007
【図３】
2008155952.tif 000008
【図４】
2008155952.tif 000009
【図５】
2008155952.tif 000010